(57)【要約】【課題】  展示物を確実に挟持することができ、装飾的にも優れた展示用スタンドを提供することを目的とする。【解決手段】  動物の身体を模した形状を有している２枚の透明のアクリル板４，４と、それぞれのアクリル板４，４に付設された磁性体５，５とを備え、磁性体５，５を吸着させてアクリル板４，４を重ね合わせることによりシート状の展示物を挟持する本体部２と、動物の脚を模した形状を有しており、アクリル板４，４の下部に設けられた切欠部６，６によって形成される凹部に嵌め込まれて本体部２を支持する脚部３とから構成される。【選択図】図２
0003157645.tif 000002
【実用新案登録請求の範囲】
【請求項１】
２枚の透明のアクリル板と、それぞれのアクリル板に付設された磁性体とを備え、前記磁性体を吸着させてアクリル板を重ね合わせることによりシート状の展示物を挟持する展示用スタンドであって、
前記アクリル板は、動物の身体を模した形状を有しており、
前記重ね合わせたアクリル板に取り付けられて前記アクリル板を支持する脚部が、前記動物の脚を模した形状を有している
ことを特徴とする展示用スタンド。
【請求項２】
前記動物は、四足獣であり、
前記脚部は、四足獣の前両足と後両足とを模した形状となっている
ことを特徴とする請求項１記載の展示用スタンド。
【請求項３】
前記動物の体を模した形状が、二足で立脚する状態であるときに、
さらに、前記脚部を前記アクリル板に取り付けるためのジョイント部を備える
ことを特徴とする請求項１記載の展示用スタンド。
【考案の詳細な説明】
【技術分野】
【０００１】
本考案は、写真やメモ用紙等のシート状の展示物を展示するための展示用スタンドに関するものである。
【背景技術】
【０００２】
従来、写真等を展示するものとして、種々の提案がなされている。
【０００３】
例えば、特許文献１では、透光性の前板と後板との間に展示物を挟持し、前板と後板の互いに対応する位置に磁石を埋め込んで前板と後板とを容易に着脱可能にした展示用パネルが開示されている。また、ここでは、透明プラスチック板よりなる前板と、前板の後側表面に付設された４個の円形の鉄板と、その前側表面に４個の凹部が形成された透明プラスチック板よりなる後板と、後板に形成された凹部内に収納された永久磁石とを備えることにより、簡易な構成でありながら、前板と後板を確実に固定することができる展示用パネルが提案されている。
【先行技術文献】
【特許文献】
【０００４】
【特許文献１】特開２００６−３４４８０号公報
【考案の概要】
【考案が解決しようとする課題】
【０００５】
しかしながら、上記特許文献１の展示用パネルなどでは、展示物を挟持するだけで、装飾的効果を期待できないという問題がある。特に、写真立てのように部屋のインテリアとして用いられる場合には、展示のための道具であっても装飾的な造形処理が求められているところ、上記の展示用パネルなどではこのような要望に応えることができない。
【０００６】
そこで、本考案は、上記問題に鑑みなされたものであり、展示物を確実に挟持することができ、装飾的にも優れた展示用スタンドを提供することを目的とする。
【課題を解決するための手段】
【０００７】
上記の課題を解決し、その目的を達成する手段として、本考案は、２枚の透明のアクリル板と、それぞれのアクリル板に付設された磁性体とを備え、前記磁性体を吸着させてアクリル板を重ね合わせることによりシート状の展示物を挟持する展示用スタンドであって、前記アクリル板は、動物の身体を模した形状を有しており、前記重ね合わせたアクリル板に取り付けられて前記アクリル板を支持する脚部が、前記動物の脚を模した形状を有していることを特徴とする。
【０００８】
これにより、動物を模した展示用スタンドとなり、展示物を確実に挟持ことができるだけでなく、趣向に富み、装飾的にも優れた展示用スタンドが実現可能となる。
【０００９】
ここで、前記動物は、四足獣であり、前記脚部は、四足獣の前両足と後両足とを模した形状となっているとするのが好ましく、また、前記動物の体を模した形状が、二足で立脚する状態であるときに、さらに、前記脚部を前記アクリル板に取り付けるためのジョイント部を備えるとするのが好ましい。
【００１０】
これにより、あらゆる動物の形状を表現することができるようになる。
【考案の効果】
【００１１】
本考案に係る展示用スタンドによれば、動物を模した形状のアクリル板を重ね合わせているので、趣向に富んだ展示用スタンドを実現することができ、展示用スタンドそれ単体でも部屋のインテリアとして通用しうる、装飾的にも優れた展示用スタンドを実現することができる。
【図面の簡単な説明】
【００１２】
【図１】展示用スタンドの構成を示す図である。
【図２】展示用スタンドの構成を分解して示す図である。
【図３】展示用スタンドの別の構成を分解して示す図である。
【考案を実施するための形態】
【００１３】
以下、本考案の実施の形態について図面を参照しながら説明する。
【００１４】
図１は、本考案の実施の形態に係る展示用スタンドの構成を示す図である。
【００１５】
本実施の形態に係る展示用スタンド１は、本体部２と、脚部３とから構成されている。
【００１６】
本体部２は、四足獣の動物である羊を模した形状に加工された透明の２枚のアクリル板を重ね合わせることにより構成される。
【００１７】
図２は、展示用スタンド１を分解して示す図である。
【００１８】
図２に示すように、本体部２は、それぞれ動物の身体を模した形状に加工された透明の２枚のアクリル板４，４とから構成されている。
【００１９】
一方のアクリル板４の背面側と、もう一方のアクリル板４の正面側には、それぞれ磁性体５，５が複数付設されており、それぞれの磁性体５，５が吸着することにより、２枚のアクリル板４，４とで写真やメモ用紙等のシート状の展示物を確実に挟持することができるようになっている。
【００２０】
脚部３は、四足獣の動物の前両脚と後両脚とをそれぞれ模した形状に加工された透明のアクリル板からなる部材であり、本体部２を支持することで展示用スタンド１を机などに立てて飾ることを可能にしている。アクリル板４，４の下部にそれぞれ設けられている切欠部６，６が、アクリル板４，４を重ね合わせることで脚部３を嵌め込むための凹部を形成し、この凹部に脚部３の切欠部７を嵌め込むことで、脚部３は本体部２を支持することになる。図１及び２の例では、四足獣である羊を模した例を示しており、脚部３を２つ用いて本体部２を支持する構成としている。
【００２１】
図３は、展示用スタンドの別の構成の例を示す図である。
【００２２】
図３では、二足獣であるニワトリを模した展示用スタンド１１を示している。本体部１２が２枚のアクリル板１４，１４を重ね合わせて構成され、各板に付設された磁性体１５，１５がそれぞれ吸着して展示物を挟持するようになっている点では、図１及び２で示した例と共通している。ただ、四足獣では、前後２つの脚部で本体部を支持することができるのに対して、二足獣では前後の脚部がないことから、左右２つの脚をそれぞれ模した脚部１３を本体部１２に取り付けるためのジョイント部１３ａを別途設けている点で異なっている。すなわち、アクリル板１４，１４の下部にそれぞれ設けられている切欠部１６，１６が、アクリル板１４，１４を重ね合わせることでジョイント部１３ａを嵌め込むための凹部を形成し、この凹部にジョイント部１３ａの切欠部１８が嵌め込まれる。そして、ジョイント部１３ａの下方に設けられた２つの切欠部１９に脚部１３の切欠部１７をそれぞれ嵌め込むことにより、脚部１３は本体部１２を支持するようになっている。
【００２３】
このように、本実施の形態に係る展示用スタンドによれば、２枚のアクリル板で展示物を確実に挟持することができるだけでなく、アクリル板を動物を模した形状に加工しているので、展示物の装飾として面白味を持たせることが可能となっている。
【００２４】
以上、本考案について実施の形態に基づいて説明したが、本考案は上記実施の形態に限定されるものではなく、考案の目的を達成でき、かつ考案の要旨を逸脱しない範囲内で、種々の設計変更が可能であるのはいうまでもない。
【００２５】
例えば、上記実施の形態では、本体部を構成するものとしてアクリル板を用いたが、透明であればプラスチック板などその他のものを用いてもよい。ここで示した動物は、一例にすぎず、その他の動物であってもよいことはいうまでもなく、四足獣であっても２本の脚で立った状態を模した形状とする場合（例えば、両前脚を上げた馬など）には、ジョイント部を設けることが必要となることもある。
【００２６】
また、本体部と脚部との取り付けは、上述の取り付けに限られるものではなく、例えば、本体部に設けられた穴に、脚部に設けられた凸部を挿し込むなどの取り付け手法であってもよい。
【００２７】
さらに、２枚のアクリル板の一方または両方にスクリーン印刷で模様を付し、装飾的効果をより一層高めることも可能である。このとき、格子状や縞状の模様として、挟持されている展示物（写真）を、見る角度によって変化するような視覚的効果をつけて面白味を持たせることも可能である。
【産業上の利用可能性】
【００２８】
本考案に係る展示用スタンドは、写真やメモ用紙等を展示するための展示用スタンド等として有用である。
【符号の説明】
【００２９】
１，１１  展示用スタンド
２，１２  本体部
３，１３  脚部
４，１４  アクリル板
５，１５  磁性体
６，７，１６，１７，１８，１９  切欠部
１３ａ    ジョイント部
【図１】
0003157645.tif 000003
【図２】
0003157645.tif 000004
【図３】
0003157645.tif 000005